(57)【特許請求の範囲】
【請求項１】
内部に送り羽根を有し、自転によって被処理物を軸方向下流側に搬送する回転ドラムと、
外周面の少なくとも一部が円筒形状に形成され、前記回転ドラムの軸方向上流側の端壁から同軸状に挿入されて、前記回転ドラム内に気流とともに固体を導入する配管と、
前記配管と前記回転ドラムとの間をシールするシール機構と、
前記気流から前記固体を分離する分離装置と、を備え、
前記分離装置は、
前記配管内に設けられて少なくとも一部が前記回転ドラム内に挿入され、前記回転ドラム内に前記気流及び前記固体を導入する導入通路と、
前記配管内に設けられて少なくとも一部が前記回転ドラム内に挿入され、前記導入通路に対して分離板を介して連結され、前記回転ドラム内を負圧源に接続する排気通路と、を有する貯留排出装置。
【請求項２】
前記配管は、
内側管と、前記内側管の外周側に設けられ、外周面に孔が形成された外側管と、を備え、
前記導入通路は、前記内側管の内周側の空間であり、
前記排気通路は、前記内側管と前記外側管との間の空間及び前記孔である請求項１に記載の貯留排出装置。
【請求項３】
前記配管は、
内側管と、
前記内側管の外周側に設けられ、外径が凹凸状に変化し、前記軸方向を向く面に複数の孔が形成されている外側管と、を備え、
前記導入通路は、前記内側管の内周側の空間であり、
前記排気通路は、前記内側管と前記外側管との間の空間及び前記複数の孔である請求項１に記載の貯留排出装置。
【請求項４】
前記外側管は、
外側管本体と、
前記外側管本体と前記内側管との間の空間と連通する内部空間を有し、前記外側管本体から径方向外側に周方向全周に亘って突出する複数の拡径部と、を有し、
前記複数の孔は、前記拡径部の前記軸方向を向く面に形成されている請求項３に記載の貯留排出装置。
【請求項５】
複数の前記拡径部のうち、最も軸方向下流側に配置された前記拡径部の前記軸方向下流側を向く面は、前記孔が形成されておらず前記被処理物を支持する支持部である請求項４に記載の貯留排出装置。
【請求項６】
前記外側管の前記孔が形成されている面に、前記孔を覆うフィルターが設けられている請求項２に記載の貯留排出装置。
【請求項７】
前記配管は、内部を上下に分割する仕切板が設けられており、
前記導入通路は、前記配管の内周側であって前記仕切板より下側の空間であり、
前記排気通路は、前記配管の内周側であって前記仕切板より上側の空間である請求項１に記載の貯留排出装置。
【請求項８】
前記仕切板よりも上側の前記配管の外周面には、複数の孔が形成されている請求項７に記載の貯留排出装置。
【発明の詳細な説明】
【技術分野】
【０００１】
本発明は、ごみ、塵芥等の被搬送物を回転ドラムを用いて搬送及び排出する貯留排出装置に関する。
本願は、２０１５年３月６日に出願された特願２０１５−０４４８９１号について優先権を主張し、その内容をここに援用する。
【背景技術】
【０００２】
例えば、マンションなどの複数階層を有する集合住宅においては、居住者のごみ廃棄の簡便化を測るため、各階に設けられたごみ投入口を介したごみの廃棄を可能にするごみ空気輸送システムが採用されている。
ごみ投入口に投入されたごみ（塵芥）は、集合住宅を上下に貫通する投入シュート中を落下した後、投入シュート毎に設けられた回転ドラム式の貯留排出装置に貯留される。ごみは一時的に貯留排出装置に貯留され、適宜ごみ収集車によって回収される。【０００３】
ごみ空気輸送システムに設けられる貯留排出装置（塵芥処理装置）としては、特許文献１に記載されているような装置が知られている。この貯留排出装置は、送風機（ブロア）を用いて回転ドラムの内部の空気を吸引して輸送管に気流を発生させて、ごみ及び空気を回転ドラムに導入する。ごみは、回転ドラム内に落下し、空気は吸気管を介して送風機に吸引される。
【先行技術文献】
【特許文献】
【０００４】
【特許文献１】特公昭６１−２７２８４号公報
【発明の概要】
【発明が解決しようとする課題】
【０００５】
ところで、上記特許文献１に記載の貯留排出装置は、ごみ及び空気の受け入れ部である輸送管、空気を吸引するための吸気管、及びフィルターから構成される固定部の直径が大きい。これにより、固定部と回転ドラムとの間には、回転ドラムの回転を許容しながら、回転ドラムの気密性を確保するシール機構が必要であるが、固定部の直径が大きいため、気密性の確保が難しいという課題があった。具体的には、シール機構として、大径かつ真空対応のベアリング等を用いる必要があり、製造コストが増大するという課題があった。【０００６】
この発明は、輸送管や吸気管などの固定部と回転ドラムとの間のシール機構をより簡易化することができる貯留排出装置を提供することを目的とする。
【課題を解決するための手段】
【０００７】
本発明の第一の態様によれば、貯留排出装置は、内部に送り羽根を有し、自転によって被処理物を軸方向下流側に搬送する回転ドラムと、外周面の少なくとも一部が円筒形状に形成され、前記回転ドラムの軸方向上流側の端壁から同軸状に挿入されて、前記回転ドラム内に気流とともに固体を導入する配管と、前記配管と前記回転ドラムとの間をシールするシール機構と、前記気流から前記固体を分離する分離装置と、を備え、前記分離装置は、前記配管内に設けられて少なくとも一部が前記回転ドラム内に挿入され、前記回転ドラム内に前記気流及び前記固体を導入する導入通路と、前記配管内に設けられて少なくとも一部が前記回転ドラム内に挿入され、前記導入通路に対して分離板を介して連結され、前記回転ドラム内を負圧源に接続する排気通路と、を有する。
【０００８】
このような構成によれば、気流及び固体を導入する導入通路と回転ドラム内を負圧源に接続する排気通路とが、一部が円筒形状に形成された配管内に設けられていることによって配管を小径化でき、配管と回転ドラムとの間のシール機構をより簡易化することができる。【０００９】
上記貯留排出装置において、前記配管は、内側管と、前記内側管の外周側に設けられ、外周面に孔が形成された外側管と、を備え、前記導入通路は、前記内側管の内周側の空間であり、前記排気通路は、前記内側管と前記外側管との間の空間及び前記孔であってよい。【００１０】
上記貯留排出装置において、前記配管は、内側管と、前記内側管の外周側に設けられ、外径が凹凸状に変化し、前記軸方向を向く面に複数の孔が形成されている外側管と、を備え、前記導入通路は、前記内側管の内周側の空間であり、前記排気通路は、前記内側管と前記外側管との間の空間及び前記複数の孔であってよい。【００１１】
このような構成によれば、外側管により多くの孔を形成することができる。これにより、孔を通過する空気の流速が遅くすることができるため、空気とともに、ごみが排気通路に流入することを抑制することができる。【００１２】
上記貯留排出装置において、前記外側管は、外側管本体と、前記外側管本体と前記内側管との間の空間と連通する内部空間を有し、前記外側管本体から径方向外側に周方向全周に亘って突出する複数の拡径部と、を有し、前記複数の孔は、前記拡径部の前記軸方向を向く面に形成されていてよい。【００１３】
上記貯留排出装置において、複数の前記拡径部のうち、最も軸方向下流側に配置された前記拡径部の前記軸方向下流側を向く面は、前記孔が形成されておらず前記被処理物を支持する支持部であってよい。【００１４】
このような構成によれば、支持部によってごみの堆積物を押さえることができる。これにより、ごみが崩れて孔に流入するのを抑制することができる。【００１５】
上記貯留排出装置において、前記外側管の前記孔が形成されている面に、前記孔を覆うフィルターが設けられてよい。
このような構成によれば、孔の直径よりも小さな固体が負圧源に吸引されることを防止することができる。【００１６】
上記貯留排出装置において、前記配管は、内部を上下に分割する仕切板が設けられており、前記導入通路は、前記配管の内周側であって前記仕切板より下側の空間であり、前記排気通路は、前記配管の内周側であって前記仕切板より上側の空間であってよい。【００１７】
上記貯留排出装置において、前記仕切板よりも上側の前記配管の外周面には、複数の孔が形成されていてよい。
【発明の効果】
【００１８】
本発明によれば、気流及び固体を導入する導入通路と回転ドラム内を負圧源に接続する排気通路とが、一部が円筒形状に形成された配管内に設けられていることによって配管を小径化でき、配管と回転ドラムとの間のシール機構をより簡易化することができる。
【図面の簡単な説明】
【００１９】
【図１】本発明の第一実施形態の貯留排出装置の断面図である。
【図２】本発明の第一実施形態の貯留排出装置の配管の詳細断面図である。
【図３】図１のＡ−Ａ矢視図であり、配管の断面図である。
【図４】本発明の第二実施形態の貯留排出装置の断面図である。
【図５】図４のＢ−Ｂ矢視図であり、配管の断面図である。
【図６】本発明の第三実施形態の貯留搬出装置の断面図である。
【図７】本発明の第三実施形態の貯留排出装置の配管の詳細断面図である。
【図８】図７のＣ−Ｃ矢視図であり、本発明の第三実施形態の貯留搬出装置の拡径部の正面図である。
【図９】本発明の第三実施形態の変形例の貯留搬出装置の拡径部の正面図である。
【発明を実施するための形態】
【００２０】
（第一実施形態）
以下、本発明の第一実施形態の貯留排出装置について図面を参照して詳細に説明する。
本実施形態の貯留排出装置は、空気輸送方式によるごみ空気輸送システムにおいて、空気搬送された被処理物であるごみ・塵芥が貯留される装置である。
ごみ空気輸送システムは、複数階層を有するマンションなどの建築物に設けられているごみの投入口、建築物を上下方向に貫通する複数の投入シュート（ダストシュート）及び輸送管を介してごみが貯留される貯留排出装置と、ごみ輸送用の空気流を発生させる送風機（ブロア、負圧源）と、を有している。貯留排出装置には、投入口に投入されるごみが空気の気流と共に導入される。
【００２１】
図１に示すように、本実施形態の貯留排出装置１は、回転ドラム３と、回転ドラム３におけるごみ（固体）の搬送方向Ｔ上流側の端部から挿入されている配管４と、気流からごみを分離する分離装置５と、を有している。
なお、以下の説明において、回転ドラム３の軸線Ｏが延びている方向を軸方向Ｄａとする。また、軸線Ｏに直交する方向を径方向とし、径方向で軸線Ｏから遠ざかる側を径方向外側といい、径方向で軸線Ｏに近づく側を径方向内側という。また、軸方向Ｄａであって、搬送方向Ｔの上流側を軸方向上流側Ｄａ１、搬送方向Ｔの下流側を軸方向下流側Ｄａ２という。
【００２２】
回転ドラム３は円筒形状をなしている。回転ドラムは、ごみを収容する空間を有している。回転ドラム３は自転によってごみを軸方向下流側Ｄａ２に搬送する。回転ドラム３は水平に設置する必要はなく、軸方向下流側Ｄａ２に向かって下がるような配置としてもよい。回転ドラム３の直径は、例えば２，０００ｍｍである。
【００２３】
回転ドラム３の内部には、螺旋状に形成された送り羽根７（羽根部、スクリュー羽根）が設けられている。送り羽根７は、押し込み機構として機能する。回転ドラム３が所定の方向に回動すると、回転ドラム３の内部に投入されたごみが軸方向下流側Ｄａ２へ押し込まれて圧縮される。即ち、回転ドラム３は、ごみを貯留する機能を有するとともに、回転力を与えることにより、ごみを圧送可能である。
【００２４】
回転ドラム３の軸方向下流側Ｄａ２には、ごみを排出する排出開口８が設けられている。
貯留排出装置１は、回転ドラム３を回転させる駆動部９を有している。駆動部９は、電動モーター１０と、電動モーター１０の出力軸に設けられている駆動歯車１１と、回転ドラム３の外周面に設けられている被駆動歯車１２と、を有している。
【００２５】
回転ドラム３は、四つの受けローラー１４（図１には二つのみ示す）によって回転可能に支持されている。回転ドラム３は、回転ドラム３の軸方向Ｄａの一方の端部近傍にて二つの受けローラー１４によって支持され、回転ドラム３の軸方向Ｄａの一方の端部とは反対側の端部近傍にて二つの受けローラー１４によって支持されている。
【００２６】
受けローラー１４は、タイヤ形状のローラー本体１５と、ローラー本体１５を回転可能に支持するローラー支持台１６とから構成されている。受けローラー１４は、一対のローラー本体１５の外周面で回転ドラム３を支持するように配置されている。回転ドラム３の外周面におけるローラー本体１５の接触部には、円筒形状のレールリング１７が取り付けられている。
【００２７】
送り羽根７は螺旋状に形成され、その外周端が回転ドラム３の内壁に溶接によって接合されている。回転ドラム３が回転することによって、送り羽根７も回転する。
【００２８】
図２、図３に示すように、配管４は、回転ドラム３の軸方向上流側Ｄａ１の端壁１９から回転ドラム３と同軸状に挿入されている円筒状の管である。即ち、回転ドラム３の軸線Ｏ（中心軸）と、配管４の中心軸とは一致している。配管４の直径は例えば、１，０００ｍｍである。
配管４は、ごみ及び空気の受け入れ部である輸送管１３と接続されている内側管２０と、内側管２０の外周側に設けられた外側管２１と、を有している。配管４のうち、回転ドラム３の内部空間６に挿入されている部分は、内側管２０と外側管２１とからなる二重管である。外側管２１の外周面は、配管４の外周面である。
【００２９】
内側管２０の回転ドラム３の端壁１９からの長さは、外側管２１の端壁１９からの長さよりも長い。外側管２１の軸方向下流側Ｄａ２の端部は、回転ドラム３の端壁１９と内側管２０の軸方向下流側Ｄａ２の端部との間に配置されている。
外側管２１の軸方向下流側Ｄａ２の端部と、内側管２０の外周面との間には、封止板２２が設けられている。封止板２２は、内側管２０が挿通する貫通孔２２ａが中心部に形成された円形の板状部材である。外側管２１の軸方向下流側Ｄａ２の端部は、封止板２２及び内側管２０によって封止されている。
【００３０】
外側管２１において、回転ドラム３の内部空間６に挿入されている部分には、複数の孔２３が形成されている。外側管２１において複数の孔２３が形成されている部分は、パンチングメタルによって形成することができる。
【００３１】
外側管２１の外周面であって、複数の孔２３が形成されている面には、フィルター２４が巻き付けられている。フィルター２４としては、例えば、不織布、メッシュ、スポンジ等を採用することができる。フィルター２４は、円筒状の網によって形成されたガード部材２５によって覆われている。ガード部材２５は、フィルター２４を外側管２１に固定する部材であり、所定のブラケットを用いて回転ドラム３に固定されている。
【００３２】
内側管２０は、配管４内に設けられて、回転ドラム３内に空気及びごみを導入する導入通路として機能する。導入通路は、内側管２０の内周側の空間である。
外側管２１は、配管４内に設けられて、内側管２０を介して連結され、回転ドラム３内を送風機２に接続する排気通路として機能する。排気通路は、内側管２０と外側管２１との間の空間及び複数の孔２３である。
また、内側管２０は、配管４を導入通路と排気通路とに分離する分離板として機能する。
【００３３】
回転ドラム３の端壁１９には、配管４が挿通する配管挿通孔２７が形成されている。配管挿通孔２７には、円筒形状のフランジ２８が回転ドラム３の外方に突出して形成されている。フランジ２８は、フランジ２８の中心軸と回転ドラム３の軸線Ｏとが一致するように形成されている。
フランジ２８（回転ドラム３）と配管４との間には、シール機構２９が設けられている。シール機構２９としては、例えば、グランドパッキンや、オイルシールパッキンを採用することができる。シール機構２９は、回転する回転ドラム３（フランジ２８）と、固定されている配管４との間をシールできればよく、簡易なシール機構を用いることができる。
【００３４】
送風機２は、外側管２１と接続されており、回転ドラム３の内部空間６の空気を吸引する。送風機２が回転ドラム３の内部空間６の空気を吸引することにより、輸送管１３及び内側管２０内にごみ輸送用の空気流が発生する。
輸送管１３は、図示しないごみ投入口と接続されている。即ち、ごみ投入口から投入されたごみは、輸送管１３及び内側管２０を介して気流と共に回転ドラム３に導入される。
【００３５】
次に、本実施形態のごみ収集システムの作用について説明する。
まず、投入口から投入されたごみは、送風機２によって発生した気流に乗って輸送管１３を介して輸送される。即ち、送風機２が運転されると、配管４の外側管２１を介して回転ドラム３の内部空間６の空気が吸引されて、これにより、内側管２０及び内側管２０の上流側に設けられている輸送管１３に気流が発生し、ごみ（塵芥）及び空気が配管４の内側管２０を介して回転ドラム３内に導入される（図１〜図３にＩｎと記す。）。
【００３６】
内側管２０より回転ドラム３内に導入されたごみは回転ドラム３内に落下する。内側管２０より回転ドラム３内に導入された空気は、フィルター２４及び複数の孔２３を介して外側管２１に流入し、送風機２に吸引される（図１〜図３にＯｕｔと記す。）。
ごみは、送り羽根７によって排出開口８側へ移送される。ごみは、排出開口８より排出され、図示しないごみ収集車に送り込まれるなどする。
【００３７】
上記実施形態によれば、回転ドラム３内にごみ及び空気を吸引する管である内側管２０（導入通路）と空気を排出する外側管２１（排気通路）とが円筒形状の配管４内に設けられていることによって配管４を小径化でき、配管４と回転ドラム３との間のシール機構２９をより簡易化することができる。
シール機構２９は、円筒形状の配管と、回転ドラムの直径よりも十分小さいフランジ２８との間をシールできればよく、一般的なグランドパッキンやオイルシールパッキンの採用が可能となる。
【００３８】
また、外側管２１に形成されている孔２３が、フィルター２４で覆われていることによって、孔２３の直径よりも小さなごみが送風機２に吸引されることを防止することができる。
【００３９】
また、フィルター２４を交換する際は、配管４を回転ドラム３から抜くことによってフィルター２４のみを回転ドラム３の内部に落とすことができる。これにより、容易にフィルター２４を破棄することができる。フィルター２４を取り付ける際は、フィルター２４を配管４に巻き付けた上で、配管４を回転ドラム３に挿入すればよい。
【００４０】
なお、上記実施形態では、配管４を円筒形状としたが、配管４は軸方向Ｄａにおいてフランジ２８と重なる少なくとも一部分の外周面が円筒形状であればよく、例えば、内側管２０の断面形状を楕円形にしたり、内側管２０を上方又は下方に屈曲させることができる。
【００４１】
（第二実施形態）
以下、本発明の第二実施形態の貯留排出装置１Ｂを図面に基づいて説明する。なお、本実施形態では、上述した第一実施形態との相違点を中心に述べ、同様の部分についてはその説明を省略する。
図４及び図５に示すように、本実施形態の配管４Ｂは、配管４Ｂの内部を上下に分割する仕切板３１を有している。仕切板３１よりも上方の配管４Ｂの端部は、封止板２２によって封止されている。
仕切板３１よりも上側の配管４Ｂの外周面には、複数の孔２３が形成されている。第一実施形態と同様に、複数の孔２３はフィルター２４にて覆われている。
【００４２】
配管４Ｂの内周側であって仕切板３１より下側の空間は、回転ドラム３内に空気及びごみを導入する導入通路として機能する。
配管４Ｂの内周側であって仕切板３１より上側の空間は、回転ドラム３内を送風機２に接続する排気通路として機能する。排気通路は、配管４Ｂの内周側であって仕切板３１より上側の空間及び複数の孔２３である。
また、仕切板３１は、配管４Ｂを導入通路と排気通路とに分離する分離板として機能する。
【００４３】
（第三実施形態）
以下、本発明の第三実施形態の貯留排出装置１Ｃを図面に基づいて説明する。なお、本実施形態では、上述した第一実施形態との相違点を中心に述べ、同様の部分についてはその説明を省略する。
図６に示すように、本実施形態の配管４Ｃは、内側管２０と、内側管２０の外周側に設けられ、外径が凹凸状に変化し、軸方向Ｄａを向く面に複数の孔２３Ｃが形成されている外側管２１Ｃと、を備えている。
【００４４】
外側管２１Ｃは、内側管２０と同軸状に形成された外側管本体３３と、軸方向Ｄａに間隔をあけて複数配置された拡径部３４と、を有している。拡径部３４は、外側管本体３３から径方向外側に周方向全周に亘って突出している。軸方向下流側Ｄａ２に配置されている第一拡径部３４ａと、軸方向上流側Ｄａ１に配置されている第二拡径部３４ｂとを有している。
【００４５】
図７に示すように、第二拡径部３４ｂは、円筒状の外周部３５と、外周部３５の軸方向Ｄａの両端部に設けられた円板部３６と、を有している。外周部３５の外径は、外側管本体３３の外径よりも十分に大きい。外周部３５の外径は、外側管本体３３の外径の、例えば、３倍とすることができる。
【００４６】
第二拡径部３４ｂにおいて、一対の円板部３６同士の軸方向Ｄａの間隔は、例えば、内側管２０と外側管本体３３の径方向の間隔の２倍とすることができる。
【００４７】
円板部３６は、主面が軸線Ｏと直交する面である板状部材である。外周部３５と一対の円板部３６とで囲まれた空間は、内側管２０と外側管本体３３との間の空間と連通している。
図８に示すように、円板部３６には、複数の孔２３Ｃが形成されている。複数の孔２３Ｃが形成されている円板部３６は、例えば、パンチングメタルによって形成することができる。
【００４８】
図７に示すように、第一拡径部３４ａは、円筒状の外周部３５と、外周部３５の軸方向下流側Ｄａ２の端部に設けられた支持部３７と、外周部３５の軸方向上流側Ｄａ１の端部に設けられた円板部３６と、を有している。支持部３７には孔は形成されていない。
支持部３７は、回転ドラム３の内部に貯留されたごみの堆積物Ｍ（図６参照）との接触が考慮された板状部材である。支持部３７は、複数の拡径部３４のうち、最も軸方向下流側Ｄａ２に配置された第一拡径部３４ａの軸方向下流側Ｄａ２を向く面に形成されている。
【００４９】
第一拡径部３４ａにおいて、支持部３７と円板部３６の軸方向Ｄａの間隔は、例えば、内側管２０と外側管本体３３の径方向の間隔の２倍とすることができる。
【００５０】
外周部３５と支持部３７と円板部３６とで囲まれた空間は、内側管２０と外側管本体３３との間の空間と連通している。円板部３６には、複数の孔２３Ｃが形成されている。
【００５１】
支持部３７は、内周側に位置する本体部３９と、本体部３９の外周側に位置して径方向外側に向かうに従って搬送方向Ｔ上流側に傾斜する傾斜部４０と、を有している。
本体部３９は、内側管２０が挿通する貫通孔３９ａが中心部に形成された円形の板状部材である。本体部３９の主面は、軸線Ｏに直交する面である。
傾斜部４０は、本体部３９の径方向外側の端部と外周部３５の軸方向下流側Ｄａ２の端部とを接続する環状の部材である。傾斜部４０の本体部３９に対する傾斜角度は、回転ドラム３内に貯留されるごみの堆積物Ｍの安息角などに応じて適宜設定することができる。傾斜部４０は、周方向から見た断面形状を直線状にする必要はなく、円弧状としてもよい。
【００５２】
本実施形態の外側管２１Ｃは、３つの円板部３６を有している。各々の円板部３６には、複数の孔２３Ｃが形成されている。
孔２３Ｃの数は、貯留排出装置１Ｃの運転時において、孔２３Ｃを通過する空気の流速に基づいて決定される。
孔２３Ｃを通過する空気の流速は、孔２３Ｃの数が多い程低下する。孔２３Ｃの数は、孔２３Ｃを通過する空気の流速が、例えば、２ｍ／ｓ−５ｍ／ｓとなるように設定される。本実施形態の孔２３Ｃの数は、孔２３Ｃを通過する空気の流速が遅くなるように設定されている。
【００５３】
外側管本体３３の先端部には、案内板４１が設けられている。案内板４１は、第一拡径部３４ａの円板部３６の径方向内側の端部と外側管本体３３の先端部との接続部４２から軸方向下流側Ｄａ２に突出する環状の部材である。
案内板４１は、接続部４２から軸方向下流側Ｄａ２に向かうに従って、漸次拡径するように形成されている。
【００５４】
案内板４１の外周端４１ａの径方向の位置は、接続部４２（円板部３６の径方向内側の端部）と円板部３６の径方向内側の端部３６ａ（外周部３５）の中間近傍に設定されている。
即ち、案内板４１は、接続部４２から案内板４１の外周端４１ａまでの距離と、円板部３６の径方向外側の端部３６ａから案内板４１の外周端４１ａまでの距離とが、略等しくなるように形成されている。
また、案内板４１の外周端４１ａと支持部３７との間には、周方向に亘って所定の隙間Ｇが形成されている。
【００５５】
円板部３６の外面であって、複数の孔２３Ｃが形成されている面には、第一実施形態のフィルター２４と同様のフィルター（図示せず）が取り付けられている。
【００５６】
上記実施形態によれば、内側管２０より回転ドラム３内に導入された空気は、円板部３６に形成されている複数の孔２３Ｃを介して外側管２１Ｃに流入し、送風機２に吸引される。
ここで、複数の孔２３Ｃの数は、孔２３Ｃを通過する空気の流速が、例えば、２ｍ／ｓ−５ｍ／ｓとなるように設定されている。これにより、孔２３Ｃを通過する空気の流速が遅くなるため、空気とともに、ごみが外側管２１Ｃの内部空間（排気通路）に流入することを抑制することができる。
【００５７】
また、外側管２１Ｃの内部空間に案内板４１が設けられていることによって、隙間Ｇを介して円板部３６の径方向外側の端部近傍に働く吸引力と、隙間Ｇを介して円板部３６の径方向内側の端部近傍に働く吸引力とが均一化される。これにより、複数の２３Ｃを通過する空気の流速を均一化することができる。
【００５８】
また、送り羽根７によって排出開口８側へ移送されるごみは、図６に示すように、所定の勾配を有する堆積物Ｍとなる。本実施形態の外側管２１Ｃには、ごみの堆積物Ｍを押さえる支持部３７が設けられていることによって、ごみが軸方向上流側Ｄａ１に崩れて、孔２３Ｃに流入するのを抑制することができる。
また、傾斜部４０をごみの堆積物Ｍの安息角を考慮した形状（角度）とすることによって、ごみの堆積物Ｍの崩れを防止することができる。
【００５９】
なお、上記実施形態では、外周部３５には孔を形成しないが、孔の数を増やす必要があれば、外周部３５に孔を形成してもよい。
【００６０】
次に、本実施形態の変形例について説明する。図９に示すように、本変形例の円板部３６は、異なる内径の孔４３Ａ，孔４３Ｂ，孔４３Ｃ，孔４３Ｄを有している。
【００６１】
孔４３Ａは、円板部３６の最も径方向内側に形成されている孔である。
孔４３Ｄは、円板部３６の最も径方向外側に形成されている孔である。孔４３Ｄの内径は、孔４３Ａの内径よりも大きい。
孔４３Ｂは、孔４３Ａの径方向外側かつ孔４３Ｄの径方向内側に形成されている孔である。孔４３Ｂの内径は、孔４３Ａの内径よりも大きく孔４３Ｄの内径よりも小さい。
孔４３Ｃは、孔４３Ｂの径方向外側かつ孔４３Ｄの径方向内側に形成されている孔である。孔４３Ｃの内径は、孔４３Ｂの内径よりも大きく孔４３Ｄの内径よりも小さい。
【００６２】
即ち、複数の孔の直径は、同一にする必要はなく、径方向内側に向かうに従って直径を小さくしてもよい。
円板部３６の孔４３を介して流入する空気は、円板部３６の径方向外側に多く流入しようとするが、孔４３の直径が小さい（孔４３の面積が小さい）程、空気の圧損が高くなるため、径方向外側の孔４３にも多くが導かれる。これにより、複数の４３を通過する空気の流速を均一化することができる。
【００６３】
以上、本発明の実施形態について詳細を説明したが、本発明の技術的思想を逸脱しない範囲内において、種々の変更を加えることが可能である。
例えば、上記各実施形態では、フィルター２４を回転ドラム３内部の配管４に設けたが、これに限ることはなく、フィルター２４を回転ドラム３の外部に設けてもよい。即ち、フィルター２４は、回転ドラム３の内部空気を吸引する管路にいずれかに設けられていればよい。
また、上記各実施形態では、受けローラー１４を用いて回転ドラム３の外周面を指示したがこれに限ることはない。例えば、受けローラー１４を用いて、フランジ２８や排出開口８の突出管を支持する構成としてもよい。
【符号の説明】
【００６４】
１，１Ｂ  貯留排出装置
２  送風機（負圧源）
３  回転ドラム
４，４Ｂ  配管（分離装置）
５  分離装置
６  内部空間
７  送り羽根
８  排出開口
９  駆動部
１０  電動モーター
１１  駆動歯車
１２  被駆動歯車
１３  輸送管
１４  受けローラー
１５  ローラー本体
１６  ローラー支持台
１７  レールリング
１９  端壁
２０  内側管（導入通路、分離板）
２１，２１Ｃ  外側管（排気通路）
２２  封止板
２３，２３Ｃ  孔
２４  フィルター
２５  ガード部材
２７  配管挿通孔
２８  フランジ
２９  シール機構
３１  仕切板（分離板）
３３  外側管本体
３４  拡径部
３４ａ  第一拡径部
３４ｂ  第二拡径部
３５  外周部
３６  円板部
３７  支持部
３９  本体部
４０  傾斜部
４１  案内板
４３  孔
Ｄａ  軸方向
Ｄａ１  軸方向上流側
Ｄａ２  軸方向下流側
Ｇ  隙間
Ｏ  中心軸
Ｔ  搬送方向
【図１】
0006582329.tif 000002
【図２】
0006582329.tif 000003
【図３】
0006582329.tif 000004
【図４】
0006582329.tif 000005
【図５】
0006582329.tif 000006
【図６】
0006582329.tif 000007
【図７】
0006582329.tif 000008
【図８】
0006582329.tif 000009
【図９】
0006582329.tif 000010